(57)【要約】【課題】閉止位置にある引き戸のスライド動作または回転動作を規制して、良好なロック状態を実現する引き戸のロック装置を提供する。【解決手段】所定の収納空間Ｓを有し一部に収納空間Ｓを外部へ開放し得る開口部Ｋを形成した収納家具本体Ｇ１と、開口部Ｋの開口縁部Ｋ１においてスライド移動によりこの開口部Ｋを開閉する複数の引き戸Ｄ１、Ｄ２とを備えた収納家具Ｇに適用されるものであって、収納家具本体Ｇ１の開口部Ｋを閉止した位置にある各引き戸Ｄ１、Ｄ２のスライド移動を規制する複数のロック機構２と、ロック機構２をロック状態と非ロック状態に操作可能な操作部４とを具備し、これらロック機構２を少なくとも第１引き戸Ｄ１の上半部及び下半部に離間させて設けたものであり、各ロック機構２が、操作部４の操作力により第１引き戸Ｄ１に対して後方に突出するロック板５をそれぞれ備え、ロック状態において、後方に位置する第２引き戸Ｄ２の一部と各ロック板５とが当接または近接するように設定した。【選択図】図２
2004263438.tif 000002
【特許請求の範囲】
【請求項１】
所定の収納空間を有し一部に前記収納空間を外部へ開放し得る開口部を形成した収納家具本体と、開口部の開口縁部においてスライド移動により該開口部を開閉する複数の引き戸とを備えた収納家具に適用されるものであって、
前記収納家具本体の開口部を閉止した位置にある各引き戸のスライド移動を規制する複数のロック機構と、該ロック機構をロック状態と非ロック状態に操作可能な操作部とを具備し、これらロック機構を少なくとも引き戸の上半部及び下半部に離間させて設けたものであり、前記各ロック機構が、前記操作部の操作力により後方に突出するロック板をそれぞれ備え、前方に位置する引き戸の裏面側に各ロック機構を配置し、ロック状態において、後方に位置する引き戸の一部と前記各ロック板の一部とが当接または近接するように設定していることを特徴とする引き戸のロック装置。
【請求項２】
前記ロック機構を二つ具備し、引き戸の上端部及び下端部に対をなして設けている請求項１記載の引き戸のロック装置。
【請求項３】
前記各ロック機構を連動させるための連動部材を具備し、一のロック機構が前記操作部に与えられた操作力に伴って作動するものであり、他のロック機構が前記操作力により前記連動部材を介して前記一のロック機構に連動して作動するものである請求項１又は２記載の引き戸のロック装置。
【請求項４】
前記操作部が、与えられた操作力により上下動する第１可動体を備え、前記各ロック機構が、前記第１可動体の上下動に伴って上下動し得る第２可動体と、前記ロック板を引き戸に対して回転可能に支持する支持部材とを備えてなり、第２可動体に突出子を設けるとともに、前記ロック板に前記突出子を案内し得る案内孔を形成し、前記操作部の操作力に基づいて上下動する前記第１可動体の動作に対応して第２可動体の突出子が上下動することによって、ロック板が引き戸に対して後方へ回動するように設定した請求項１、２又は３記載の引き戸のロック装置。
【請求項５】
前記各ロック機構を連動させるための連動部材が柱状のものであり、前記第２可動体間に一の連動部材を取り付けている請求項４記載の引き戸のロック装置。
【請求項６】
前記操作部が、鍵挿入孔を備え該鍵挿入孔に挿入した鍵を回転することによって回転動作するシリンダ錠を具備する請求項１、２、３、４又は５記載の引き戸のロック装置。
【請求項７】
前記操作部が、前記シリンダ錠と、該シリンダ錠の回転動作に合わせて上下動する第１可動体とを具備するものであり、シリンダ錠の回転動作を第１可動体の上下動に変換する変換部を有する請求項６記載の引き戸のロック装置。
【発明の詳細な説明】
【０００１】
【発明の属する技術分野】
本発明は、収納家具本体の開口縁部においてスライド移動させて開口部を閉止した位置にある複数の引き戸のスライド動作を規制するロック装置に関するものである。
【０００２】
【従来の技術】
従来、所定の収納空間を有し一部に前記収納空間を外部へ開放し得る開口部を形成した収納家具本体と、開口部の開口縁部においてスライド移動によりこの開口部を開閉する複数の引き戸とを備えた収納家具に適用されるロック装置としては、開口部を閉止した位置にある左右の引き戸を、適宜のシリンダ錠を用いて各引き戸が前後に重合する部位において係わり合わせることによって連結して固定するもの（例えば非特許文献１参照）や、前方に位置する一方の引き戸の裏面の高さ方向略中央部に、適宜の操作により後方に突出する跳ね板部材（ロック板）を設け、前記閉止位置において、この跳ね板部材と後方に位置する他方の引き戸の一部とを相互に干渉させることによって両引き戸の位置を固定するようにしたものがある。
【０００３】
【非特許文献１】
「コクヨ総合カタログ  オフィスファニチャー編２００２」、コクヨ株式会社、２００２年１月、第２９４〜２９５頁
【０００４】
【発明が解決しようとする課題】
ところが、従来のロック装置は、引き戸の高さ方向における一点のみを固定する構成を有している。そのため、たとえ引き戸を閉止位置に固定した場合であっても、閉止位置にある引き戸を、強引にまたは誤操作によりスライド移動させようとした場合には、引き戸がロック装置を設けた一点を中心に若干回転し、スライド方向に対して前傾または後傾して、引き戸と収納家具本体との間に隙間が生じる。上記の不具合に起因して、引き戸に変形が生じた場合には、いわゆる噛み付きが起こり、引き戸が損傷する恐れもある。このように、従来のロック装置は、各引き戸を閉止位置にロックした場合であっても、引き戸のスライド動作または回転動作が許容され得る構成となっており、閉止位置にある引き戸を固定するというロック装置としての本来的な機能を十分に果たし得ないという問題がある。
【０００５】
本発明は、このような課題に着目してなされたものであって、主たる目的は、閉止位置にある引き戸のスライド動作または回転動作を規制して、良好なロック状態を実現する引き戸のロック装置を提供することにある。
【０００６】
【課題を解決するための手段】
すなわち、本発明の引き戸のロック装置は、所定の収納空間を有し一部に前記収納空間を外部へ開放し得る開口部を形成した収納家具本体と、開口部の開口縁部においてスライド移動により該開口部を開閉する複数の引き戸とを備えた収納家具に適用されるものであって、
前記収納家具本体の開口部を閉止した位置にある各引き戸のスライド移動を規制する複数のロック機構と、該ロック機構をロック状態と非ロック状態に操作可能な操作部とを具備し、これらロック機構を少なくとも引き戸の上半部及び下半部に離間させて設けたものであり、前記各ロック機構が、前記操作部の操作力により後方に突出するロック板をそれぞれ備え、前方に位置する引き戸の裏面側に各ロック機構を配置し、ロック状態において、後方に位置する引き戸の一部と前記各ロック板の一部とが当接または近接するように設定していることを特徴とする。
【０００７】
ここで、「引き戸の上半部」とは、引き戸の高さ方向略中間部から上端に亘る部位を意味し、「引き戸の下半部」とは、引き戸の高さ方向略中間部から下端に亘る部位を意味する。
【０００８】
このようなものあれば、少なくとも引き戸の高さ方向略中央部を挟んだ２箇所以上にロック機構を設けているため、閉止位置に固定した引き戸を強引にまたは誤操作によりスライド移動させようとした場合であっても、引き戸がロック機構を設けた部位を中心に回転することなく、スライド方向に対して前傾または後傾することもない。その結果、各引き戸がいわゆる噛み付きを起こすこともなく、引き戸またはロック機構が損傷することを有効に防止することができる。また、引き戸と収納家具本体との間に隙間が生じることも防止することができる。このように、引き戸のスライド動作及び回転動作を規制し、各引き戸を閉止位置に強固に固定することができる。加えて、ロック状態において、後方に位置する引き戸の一部と各ロック板とが当接または近接するため、各引き戸のスライド移動を確実に防止することができる。また、例えば、ロック機構を２箇所以上に設けた場合には、より効果的に引き戸のスライド移動を規制することができる。
【０００９】
特に、必要最小限のロック機構を用いて強固なロック状態を実現するには、前記ロック機構を二つ具備し、引き戸の上端部及び下端部に対をなして設けていることが好ましい。
【００１０】
具体的態様としては、前記各ロック機構を連動させるための連動部材を具備し、一のロック機構が前記操作部に与えられた操作力に伴って作動するものであり、他のロック機構が前記操作力により前記連動部材を介して前記一のロック機構に連動して作動するものものが挙げられる。
【００１１】
より具体的な態様としては、前記操作部が、与えられた操作力により上下動する第１可動体を備え、前記各ロック機構が、前記第１可動体の上下動に伴って上下動し得る第２可動体と、前記ロック板を引き戸に対して回転可能に支持する支持部材とを備えてなり、第２可動体に突出子を設けるとともに、前記ロック板に前記突出子を案内し得る案内孔を形成し、前記操作部の操作力に基づいて上下動する前記第１可動体の動作に対応して第２可動体の突出子が上下動することによって、ロック板が引き戸に対して後方へ回動するように設定したものが挙げられる。
【００１２】
また、前記各ロック機構を連動させるための連動部材が柱状のものであり、前記第２可動体間に一の連動部材を取り付けているものであれば、第２可動体間の相対位置を常に一定間隔で保つことができる。
【００１３】
前記操作部が、鍵挿入孔を備えこの鍵挿入孔に挿入した鍵を回転することによって回転動作するシリンダ錠を具備するものであれば、簡単な操作により前記操作力を付与することができる。
【００１４】
具体的には、前記操作部が、前記シリンダ錠と、このシリンダ錠の回転動作に対応して上下動する第１可動体とを具備するものであり、前記シリンダ錠の回転動作を前記第１可動体の上下動に変換する変換部を有するものが挙げられる。
【００１５】
【発明の実施の形態】
以下、本発明の一実施形態を、図面を参照して説明する。
【００１６】
本実施形態に係るロック装置は、図１に示すような収納家具Ｇに適用されるものである。
【００１７】
収納家具Ｇは、所定の収納空間Ｓを有し前面に前記収納空間Ｓを外部へ開放し得る開口部Ｋを形成した収納家具本体Ｇ１と、開口部Ｋの開口縁部Ｋ１においてスライド移動によりこの開口部Ｋを開閉する一対の引き戸Ｄ１、Ｄ２とを備えたものである。
【００１８】
収納家具本体Ｇ１は、例えばスチール素材を折り曲げて成形してなる天板Ｇ１１、底板Ｇ１２、左右一対の側板Ｇ１３、背板Ｇ１４を筐形に組み付けることによって前面に前記開口部Ｋを形成しているものである。なお、説明の便宜上、以下の説明においては、開放させている一端を前端（前端部）とし、背板Ｇ１４が位置する一端を後端（後端部）とする。
【００１９】
簡単に説明すると、天板Ｇ１１は、平面視略矩形状をなしたものであり、この天板Ｇ１１の対向位置には天板Ｇ１１と略同型の底板Ｇ１２が設けられている。天板Ｇ１１の下面側前端部及び底板Ｇ１２の上面側前端部の幅方向略全域に引き戸Ｄ１、Ｄ２のスライド移動を案内するレールＣをそれぞれ設けている。この天板Ｇ１１及び底板Ｇ１２を両側板Ｇ１３の上端部間及び下端部間に架け渡して設けるとともに、両側板Ｇ１３の後端部間に背板Ｇ１４を固定した状態で設けている。なお、側板Ｇ１３の前端側の所定箇所に後述するラッチ機構Ｒの係留爪Ｒ１が係留可能な被係留部を有している（図示省略）。
【００２０】
前方に位置する右の引き戸（以下、「第１引き戸」と称す）Ｄ１、及び第１引き戸Ｄ１より後方に位置する左の引き戸（以下、「第２引き戸」と称す）Ｄ２は、図１及び図２等に示すように、天板Ｇ１１及び底板Ｇ１２に設けたレールＣを利用して開口縁部Ｋ１を幅方向にスライド移動するものであり、主として後面側を構成する後枠材と、主として前面側を構成する前枠材とを適宜の取付部材（図示省略）とを用いて組み合わせることによって構成され、開口部Ｋの巾方向の略２分の１を短寸、高さ方向を長寸とする正面視矩形状をなしている。なお、説明の便宜上、各引き戸Ｄ１、Ｄ２を収納家具本体Ｇ１に取り付けた状態において、背板Ｇ１４側に位置する一端を後方（後縁部）とし、他端を前方（前縁部）とする（以下、同義で用いる）。
【００２１】
各引き戸Ｄ１、Ｄ２の上端部及び下端部の所定箇所に、前記レールＣに案内される車輪Ｆをそれぞれ左右一対にして設けている。また、一方の側縁部に沿って略全域に亘って設けた引手Ｔと、引手Ｔの高さ方向略中央部において各引き戸Ｄ１、Ｄ２を収納家具本体１に係留するラッチ機構Ｒとを備えている。引手Ｔは、例えばアルミ素材を押し出し成形してなり、上端から下端に亘って前面側に開口する指掛け部を一体に形成したものである。指掛け部は、その一部に指先を掛けて操作できるように標準的な成人の指先が十分に入るスペースを有するものである。ラッチ機構Ｒは、側板Ｇ１３の前端側に形成した被係留部に係留し得る係留爪Ｒ１を有するものであり引手Ｔの操作によって同期作動可能に構成されている。なお、本実施形態では、引手Ｔの回転動作を安定したものにするために、各引き戸Ｄ１、Ｄ２の上下端部近傍部位に、引手Ｔの回転動作を補助する適宜の補助部材Ｈを設けている。
【００２２】
しかして、本実施形態においては、第１引き戸Ｄ１の裏面側にロック装置１を設けている。
【００２３】
ロック装置１は、図２〜図５等に示すように、前記収納家具本体Ｇ１の開口部Ｋを閉止した位置（閉止位置）にある各引き戸Ｄ１、Ｄ２のスライド移動を規制する上下一対のロック機構２と、各ロック機構２を連動させるための連動部材３と、ロック機構２をロック状態と非ロック状態に操作可能な操作部４とを備えたものである。
【００２４】
各ロック機構２は、図３及び図４等に図示するように、操作部４に入力された操作力により後方に突出するロック板５と、ロック板５の一方の側端部に位置する第２可動体６と、ロック板５を第１引き戸Ｄ１に対して回転可能に支持する一対の支持部材７とから構成される。
【００２５】
ロック板５は、図２〜図５（図５はロック装置１の要部拡大側面図であり、同図（ａ）は非ロック状態、（ｂ）はロック状態を示す図である）等に示すように、第１引き戸Ｄ１の巾方向の略５分の４を長寸とする薄板状のロック板本体５１と、ロック板本体５１より第１引き戸Ｄ１に対して後方に突出するようにロック板本体５１の一方の側縁を平面視略コ字形に折り曲げてなる突出部５２とを一体に有する。ロック板本体５１の他方の側縁には、例えば合成樹脂素材からなるキャップ部材５３を、ロック板本体５１の側端部に形成した係合孔５１ａに、キャップ部材５３に設けた係合爪５３ａを係わり合せることにより一体的に取り付けている。また、ロック板本体５１の上端部には、幅方向全域に亘って下向き略Ｕ字形に湾曲させてなる湾曲部５１ｂを一体に形成するとともに、ロック板本体５１の上端部近傍における両側端には、前方へ折り曲げてなる小片５１ｃを形成している。前記突出部５２の外側面には、一定の角度をなし第１引き戸Ｄ１に対して斜め後方に延びる案内孔５２ａを形成している。この案内孔５２ａは、後述する第２可動体６の突出子６１ａが挿入可能な所定の開口幅を有するものであり、挿入した突出子６１ａが案内孔５２ａ内を移動し得るように設定されている。
【００２６】
第２可動体６は、図２〜図６等（図６（ａ）は平面図、同図（ｂ）は正面図）で示すように、例えば合成樹脂素材からなる略直方体状のものであり、可撓性を有しヒンジとして機能する接続部６３を介して分離しないように設定され相互に組み付け可能な第１単位パーツ６１及び第２単位パーツ６２から構成される一体成形品である。第１単位パーツ６１の一側面に、側方に突出する略円柱状の突出子６１ａを形成している。各単位パーツ６１、６２を相互に組み付けた状態において対向する各単位パーツ６１、６２の内側面６１Ａ、６２Ａの幅方向略中央部に、高さ方向に貫通する貫通溝６１ｂ、６２ｂを形成するとともに、第２単位パーツ６２に、内側面６２Ａ側に開口し、貫通溝６１ｂ、６２ｂより前面側に偏位した高さ方向に貫通する平面視略矩形の第１貫通孔６２ｃを形成している。各貫通溝６１ｂ、６２ｂは、上端側、下端側及び略中央部に設けた平面視半円弧状の大溝部６１ｂ１、６２ｂ１と、各大径部６１ｂ１間、６２ｂ１間を連通させる平面視半円弧状の小溝部６１ｂ２、６２ｂ２とからなる。ここで、この小溝部６１ｂ２、６２ｂ２の径は、大溝部６１ｂ１、６２ｂ１の径よりも小さく設定している。第１貫通孔６２ｃの高さ方向略中央部に、前方へ向かって開口する前方開口部６２ｃ１を形成している。また、第１単位パーツ６１の内側面６１Ａに一対の係合爪６１ｋを形成し、この係合爪６１ｋと係わり合わせるべく第２単位パーツ６２に一対の係合孔６２ｋを形成し、これら係合爪６１ｋと係合孔６２ｋとを前記接続部６３を利用して係わり合わせることにより各単位パーツ６１、６２の内側面６１Ａ、６２Ａを当接または近接させた状態で一体的に組み付けるように構成している。各単位パーツ６１、６２を組み付けた状態において、各貫通溝６１ｂ、６２ｂを相互に当接または近接させることにより、高さ方向に貫通する平面視略円形状の第２貫通孔６４が形成される。
【００２７】
各支持部材７は、図２〜図５等に示すように、例えば合成樹脂素材等からなる一体成形品であり、正面視略コ字形の基体部７１と、基体部７１の高さ方向略中央部から側方に突出する円柱状の突出部７２とを備えたものである。
【００２８】
しかして、本実施形態におけるロック機構２は、各支持部材７の突出部７２を前記ロック板本体５１の側方から前記湾曲部５１ｂに挿入し、基体部７１を第１引き戸Ｄ１に一体的に設けた所定の固定部材（図示省略）に適宜の手段で固定するとともに、第２可動体６の突出子６１ａを前記突出部５２の案内溝５２ａに挿入した状態において、第２可動体６の上下動により突出子６１ａが案内溝５２ａに案内されながら上方へ移動し、ロック板５が支持部材７の突出部７２を軸として第１引き戸Ｄ１に対して後方へ回動可能に構成される。このような構成を有するロック機構２を第１引き戸Ｄ１の上端部及び下端部に一対にして設けている。なお、ロック板本体５１の湾曲部５１ｂに挿入した各支持部材７の突出部７２の下端部近傍にロック板本体５１の小片５１ｃが位置し、この小片５１ｃが突出部７２の下方への抜け落ちを防止するストッパとしての機能を果たしている。
【００２９】
連動部材３は、図２〜図６等に示すように、略円柱状のものであり、第１引き戸Ｄ１の上端部及び下端部に配置した第２可動体６間の離間距離に略対応する高さ寸法を有する基柱部３１と、基柱部３１の上端部及び下端部に設けた取付部３２とからなる一体成形品である。基柱部３１は、前記各単位パーツ６１、６２の大溝部６１の径より若干小さい径を有するものである。取付部３２は、基柱部３１の上端部及び下端部を各第２可動体６に係わり合せるようにして取り付けるべく、前記各単位パーツ６１、６２の小溝部６１ｂ１、６２ｂ１の径より若干小さい径を有する小径部３２１と、基柱部３１と同一径を有する大径部３２２とを上記の順で一体に形成したものである。しかして、第２可動体６の各単位パーツ６１、６２を相互に組み付ける前に、連動部材３の大径部３２２を何れか一方の単位パーツ（例えば第１単位パーツ６１）の高さ方向略中央部に形成した一の大溝部６１ｂ１に嵌め合わせるとともに、小径部３２１を小溝部６１ｂ２に嵌め合わせ、その状態で相互の単位パーツ６１、６２を組み付けることにより、連動部材３の上端部及び下端部を各第２可動体６に抜脱不能に取り付ける。この取付状態において、基柱部３１の上端部及び下端部が各第２可動体６の第２貫通孔６４内に略密接に嵌合した状態で収容される。また、連動部材３は、第１引き戸Ｄ１に設けたラッチ機構Ｒ及び各補助部材Ｈを貫通し、これらラッチ機構Ｒ及び補助部材Ｈに設けた適宜の支持部材（図示省略）により上下動可能に支持されている。
【００３０】
操作部４は、図２、図３及び図５等に第１引き戸Ｄ１に設けた引手Ｔの上方に配置されるものであり、主として、シリンダ錠８と、シリンダ錠８の回転動作に伴って上下動する第１可動体９とを備えてなるものである。
【００３１】
シリンダ錠８は、図２、図３及び図５において二点鎖線で示すように、ケース８１と、第１引き戸Ｄ１の前縁側に表出する鍵挿入孔８２ａを備えて回転可能にケース８１内に収容される内筒８２とを有し、この内筒８２の後端に第１可動体９に係わり合う突起８２ｂを突出させて一体的に設けている。ケース８１の裏面側に、第１可動体９を案内する案内板８１ａを配置している。なお、シリンダ錠８は、当該分野で広く知られている構造のものを用いることができるため、詳細な説明は省略する。
【００３２】
第１可動体９は、図７（同図（ａ）は斜視図、（ｂ）は第２可動体６に取り付けた状態を一部省略して示す図）等に示すように、例えば一枚の板金素材から成形されるものであり、ケース８１内において上下動する基端部９１と、その基端部９１の一側端から略水平方向に突出して延びる突出片部９２と、水平片部９２の下端を前方に折り曲げて垂下させてなる第１垂下片部９３と、第１垂下片部９３の下端を前方に折り曲げて垂下させてなる第２垂下片部９４と、第２垂下片部９４の下端を前方へ折り曲げてなる前片部９５とからなる。基端部９１の他側端側の上端部及び下端部に、それぞれ凹凸部９１ａを形成している。この凹凸部９１ａの形状は、前記案内板８１ａの形状に対応させたものである。また、基端部９１の略中央部近傍領域に、幅方向に延ばしてなる横孔９１ｂ、及び高さ方向に延ばしてなる縦孔９１ｃとを形成している。横孔９１ｂには、前記シリンダ錠８の内筒８２に設けた突起８２ｂが挿入され、一方、縦孔９１ｃには、ケース８１の裏面側から前方に向かって突出する固定軸８１ｂが挿入される。横孔９１ｂ及びこの横孔９１ｂに挿入された突起８２ｂが、シリンダ錠８の回転動作を第１可動体９の上下動に変換する変換部として機能する。しかして、第２垂下片部９４の下端部及び前片部９を、前記第２単位パーツ６２に形成した第１貫通孔６２ｃ及び前方開口部６２ｃ１に嵌め合わせるようにして第２可動体６に一体的に取り付ける。この第１可動体９の第２可動体６への取り付けは、各単位パーツ６１、６２を相互に組み付ける前に、第２垂下片部９４の下端部及び前片部９５を第１貫通孔６２ｃ及び前方開口部６２ｃ１に嵌め合わせ、その後、各単位パーツ６１、６２を組み付けることにより行う。また、本実施形態においては、第１可動体９を第１引き戸Ｄ１の上端部に位置する第２可動体６にのみ取り付けている。
【００３３】
次に、このような構成を有するロック装置１の作動を、図３、図５及び図８を参照して説明する。
【００３４】
先ず、各引き戸Ｄ１、Ｄ２をスライド移動させて前記開口部Ｋを閉止した状態において、内筒８２の鍵挿入孔８２ａに図示しない鍵を挿入し、その鍵を略１８０度回転させる（図８の矢印Ａ方向に回転させる。なお、図８においては鍵挿入孔を省略している）。この操作に伴って、内筒８２が回転し、内筒８２の後端に設けた突起８２ｂが、第１可動体９の基端部９１に形成した横孔９１ｂに挿入された状態で回転しながら上方へ移動し、シリンダ錠８の回転動作を第１可動体９の上下動に変換する。これにより、第１可動体９が固定軸８１ｂに縦孔９１ｃを案内されながら上方（同図の矢印Ｂ方向）へ移動する。そして、第１可動体９の動作に対応して上端部に位置する第２可動体６が上方（同図の矢印Ｃ方向）へ移動し、これに伴って連動部材３も上方（同図の矢印Ｄ方向）へ移動し、下端部に位置する第２可動体６が、連動部材３を介して上端部に位置する第２可動体６に連動して上方へ移動する。その結果、各第２可動体６に設けた突出子６１ａが各ロック板５の突出部５２に形成した案内孔５２ａに案内されながら、上方へ移動する。この一連の動作により、各ロック板５が前記支持部材７を軸として第１引き戸Ｄ１に対して後方（図５の矢印Ｅ方向）へ回動し、各ロック板本体５１の下端部がほぼ同時に後方へ突出したロック状態となる。
【００３５】
このように、ロック状態においては、第１引き戸の上端部及び下端部に位置するロック板５がともに第１引き戸Ｄ１から後方へ突出し、第１引き戸Ｄ１または第２引き戸Ｄ２をスライド移動させようとした場合、第２引き戸Ｄ２の側縁部または、第２引き戸Ｄ２の側縁側に設けた適宜の戸当たり部（図示省略）と、ロック板本体５１またはロック板５に取り付けたキャップ部材５３とが相互に当たり、それ以上のスライド動作が規制される。
【００３６】
また、ロック状態を解除（非ロック状態）にするには、鍵挿入孔８２ａに鍵を挿入し、再度１８０度回転させればよい。この操作に伴い、各部材が上記と逆の動作を行い、ロック状態以前の状態（図５（ａ）、図８（ｂ））に戻り、各引き戸Ｄ１、Ｄ２のスライド動作が可能な状態になる。簡単に説明すると、鍵を略１８０度回転させることにより、各第２可動体６に設けた突出子６１ａが各ロック板５の突出部５２に形成した案内孔５２ａに案内されながら下方へ移動し、それに伴って各ロック板５が前記支持部材７を軸として第１引き戸Ｄ１に対して前方へ回動し、ロック状態以前の状態（図５（ａ）、図８（ｂ））に戻る。
【００３７】
このように、本実施形態に係る引き戸のロック装置１は、収納家具本体Ｇ１の開口部Ｋを閉止した位置にあり一方の側縁部に沿って略全域に亘って設けた引手Ｔを備えた各引き戸Ｄ１、Ｄ２のスライド移動を規制するロック機構２を、第１引き戸Ｄ１の上端部及び下端部に設けているため、閉止位置にある各引き戸Ｄ１、Ｄ２を強引にまたは誤操作によりスライド移動させようとした場合であっても、各引き戸Ｄ１、Ｄ２が、ロック機構２を設けた部位を中心に回転することなく、スライド方向に対して前傾または後傾することもない。また各引き戸Ｄ１、Ｄ２がいわゆる噛み付きを起こすこともなく、各引き戸Ｄ１、Ｄ２またはロック機構２が損傷することを有効に防止することができる。このように、引き戸Ｄ１、Ｄ２のスライド動作及び回転動作を規制し、各引き戸Ｄ１、Ｄ２を閉止位置に強固に固定することができる。なお、本実施形態においては、各引き戸Ｄ１、Ｄ２の一方の側縁部に沿って略全域に亘って設けた引手Ｔを備え、各引き戸Ｄ１、Ｄ２の操作の簡便さを図ったものであるが、このようなものは、ロック機構が一箇所のみ設けている場合には、引手Ｔを操作する位置によって各引き戸Ｄ１、Ｄ２が回転等し得るものである。しかしながら、上述の通り、ロック機構２を第１引き戸Ｄ１の上端部及び下端部に設けているため、引手Ｔのいずれの位置を把持して操作した場合であっても、各引き戸Ｄ１、Ｄ２がロック機構２を設けた部位を中心に回転等することを確実に防止することができ、各引き戸Ｄ１、Ｄ２の操作容易性を何ら損なうことがなく、極めて有効なものとなる。加えて、各ロック機構２が、ロック機構２をロック状態と非ロック状態に操作可能な操作部４の操作力により第１引き戸Ｄ１に対して後方に突出するロック板５をそれぞれ備え、前方に位置する第１引き戸Ｄ１の裏面側の上下端部に各ロック機構２を配置し、ロック状態において、後方に位置する第２引き戸Ｄ２の一部と各ロック板５とが当接または近接するように設定しているため、各引き戸Ｄ１、Ｄ２のスライド移動を確実に防止することができる。
【００３８】
また、必要最小限のロック機構２を用いて、スライド動作を禁止して、強固なロック状態を実現できる。特に、第１引き戸Ｄ１の上端部及び下端部に、共通のロック機構２を用いることができ、製作工程の簡素化及びコストの削減を有効に図ることができる。
【００３９】
さらに、ロック装置１を、各ロック機構２を連動させるための連動部材３を具備するものとし、上端部に位置するロック機構２が前記操作部４に与えられた操作力に伴って作動するように構成するとともに、下端部に位置するロック機構２が前記操作力により連動部材３を介して上端部に位置するロック機構２に連動して作動するようにしているため、各ロック機構２の施錠または解錠を、操作部４の操作により連動機構３を介して同時に行うことができるので、極めて便利であり、使い勝手がよい。また、下端部のロック機構２が連動部材３を介して駆動されるために、いずれのロック機構２も各ロック機構２に対応させて設けた各操作部４の操作力によって直接的に作動するものと比べ、部品点数を削減して構造の簡素化を有効に図ることができ、コストの削減にも役立つ。
【００４０】
また、操作部４が、与えられた操作力により上下動する第１可動体９を備え、各ロック機構２が、第１可動体９の上下動に伴って上下動し得る第２可動体６と、ロック板５を第１引き戸Ｄ１に対して回転可能に支持する支持部材７とを備えてなり、第２可動体６に突出子６１ａを設けるとともに、ロック板５に突出子６１ａを案内し得る案内孔５２ａを形成し、操作部４の操作力に基づいて上下動する第１可動体９の動作に対応して第２可動体６の突出子５２ａが上下動することによって、ロック板５が第１引き戸Ｄ１に対して後方へ回動するように設定しているため、操作部４を操作する一の作業のみによってロック状態にすることができ、使い勝手が優れたものであり、実用的である。加えて、各第２可動体６に設けた突出子６１ａが各ロック板５の突出部５２に形成した案内孔５２ａに案内されながら、上方または下方へ移動することにより、各ロック板５が前記支持部材７を軸として第１引き戸Ｄ１に対して後方または前方へ回動するため、従来、ピン（本願の突出子に相当）でロック板を直接押し上げるように構成していたものと比較して、突出子６１ａを案内孔５２ａに案内させることによって確実にロック板５を作動させることができ、安定した操作を実現することができる。
【００４１】
さらに、各ロック機構２を連動させるための連動部材３が柱状のものであり、第２可動体６間に連動部材３を取り付けているため、連動部材３を容易に成形することができるとともに、連動部材３によって第２可動体間６の相対位置を常に一定間隔で保つことができ、上端部に位置する第２可動体６の上下動に付随して下端部に位置する第２可動体６を確実に上下動させることができる。
【００４２】
操作部４に、鍵挿入孔８２ａを設け、この鍵挿入孔８２ａに挿入した鍵を回転することによって回転動作するシリンダ錠８を備えたものとしているので、操作部として周知のものを汎用することも可能であり、コストの削減に資する。
【００４３】
なお、本発明は、以上に詳述した実施形態に限られるものではない。
【００４４】
例えば、ロック機構２を、少なくとも引き戸の高さ方向略中央部を挟んだ２箇所以上に設けてもよい。このようなものであれば、より効果的に引き戸のスライド移動を規制することができる。この場合、各ロック機構の第２可動部間に、連動部材を取り付ければ、各ロック機構が、連動部材を介してほぼ同時に作動するため、ロック機能を何ら損なうことなく、簡単に取付作業によって様々な仕様の収納家具に容易に対応させることができる。
【００４５】
また、ロック機構を２箇所に設ける場合も、引き戸の上端部及び下端部に配置する構成に限らず、一方のロック機構が引き戸の高さ方向略中央部から上端部に亘る部位の適宜箇所に設けるとともに、他方のロック機構が引き戸の高さ方向略中央部から下端部に亘る部位の適宜箇所に設けたものであればよい。
【００４６】
また、各ロック機構に対応させて操作部を設けても構わない。なお、この場合、連動部材を前記実施形態と同様に取り付れば、何れかの操作部の操作力により各ロック機構を作動させることができる。
【００４７】
また、ロック機構は、ロック板を利用したものに限らず、例えば、閉止位置にある各引き戸の重合する部位を、適宜のシリンダ錠を用いて連結して固定するタイプのものであっても構わない。
【００４８】
また、引き戸は２枚以上であってもよく、その場合には、前記ロック機構の配置箇所を適宜工夫することによって、閉止位置にある各引き戸のスライド動作を規制することができる。
【００４９】
その他、各部の具体的構成についても上記実施形態に限られるものではなく、本発明の趣旨を逸脱しない範囲で種々変形が可能である。
【００５０】
【発明の効果】
以上説明したように本発明によれば、少なくとも引き戸の高さ方向略中央部を挟んだ２箇所以上にロック機構を設けているため、閉止位置にある引き戸を強引にまたは誤操作によりスライド移動させようとした場合であっても、引き戸がロック装置を設けた部位を中心に回転することなく、スライド方向に対して前傾または後傾することもない。また各引き戸がいわゆる噛み付きを起こすこともなく、引き戸またはロック機構が損傷することを有効に防止することができる。このように、引き戸のスライド動作及び回転動作を規制し、各引き戸を閉止位置に強固に固定することができる。また、例えば、ロック機構を２箇所以上に設けた場合には、より効果的に引き戸のスライド移動を規制することができる。
【図面の簡単な説明】
【図１】本発明の一実施形態における収納家具を示す全体斜視図。
【図２】同実施形態における第１引き戸を一部を省略して模式的に示す背面図。
【図３】図２の要部を拡大して示す図。
【図４】同実施形態におけるロック機構の分解後方斜視図。
【図５】図３の一部を省略して模式的に示す側面図。
【図６】本実施実施形態における第２可動体の平面図及び正面図。
【図７】本実施実施形態における第１可動体の斜視図。
【図８】作用説明図。
【符号の説明】
１…ロック装置
２…ロック機構
３…連動部材
４…操作部
５…ロック板
５２ａ…案内孔
６…第２可動体
６１ａ…突出子
７…支持部材
８…シリンダ錠
８２ａ…鍵挿入孔
９…第１可動体
Ｄ１、Ｄ２…引き戸（第１引き戸、第２引き戸）
Ｇ…収納家具
Ｇ１…収納家具本体
Ｋ…開口部
Ｋ１…開口縁部
Ｓ…収納空間
【図１】
2004263438.tif 000003
【図２】
2004263438.tif 000004
【図３】
2004263438.tif 000005
【図４】
2004263438.tif 000006
【図５】
2004263438.tif 000007
【図６】
2004263438.tif 000008
【図７】
2004263438.tif 000009
【図８】
2004263438.tif 000010